(57)【要約】【課題】ロードサーベイメータを用いて個々の電気機器の使用電力量を容易に測定でき、またロードサーベイメータの設置に対する抵抗感を低減する。【解決手段】本発明の一態様において、ロードサーベイメータ１は、分電盤２内の分岐ブレーカ５１から測定対象の電気機器４４に流れる電流値を測定する電流測定手段１４と、分電盤２内の分岐ブレーカ接続用端子８ａ，８ｂと接続可能な接続端子１１ａ，１１ｂと、接続端子１１ａ，１１ｂに与えられる電圧値を測定する電圧測定手段１２と、電流値と電圧値とに基づいて使用電力量を演算する演算手段１３とを具備する。【選択図】      図１
2005249683.tif 000002
【特許請求の範囲】
【請求項１】
分電盤内の分岐ブレーカから測定対象の電気機器に流れる電流値を測定する電流測定手段と、
前記分電盤内の分岐ブレーカ接続用端子と接続可能な接続端子と、
前記接続端子に与えられる電圧値を測定する電圧測定手段と、
前記電流値と前記電圧値とに基づいて、使用電力量を演算する演算手段と
を具備するロードサーベイメータ。
【請求項２】
請求項１記載のロードサーベイメータにおいて、
前記電流測定手段とケーブルを介して接続され、前記接続端子と前記電圧測定手段と前記演算手段とを含む本体をさらに具備するロードサーベイメータ。
【請求項３】
請求項２記載のロードサーベイメータにおいて、
前記電流測定手段は、前記分岐ブレーカと前記測定対象の電気機器との間の線に備えられる貫通形電流センサであることを特徴とするロードサーベイメータ。
【請求項４】
請求項１乃至請求項３のいずれか１項に記載のロードサーベイメータにおいて、
前記測定対象の電気機器に与えられる電圧レベルを設定する電圧設定スイッチをさらに具備し、
前記演算手段は、前記電圧レベルに応じて、前記使用電力量の演算方式を切り換える
ことを特徴とするロードサーベイメータ。
【請求項５】
分電盤内の単相３線の一方側の電流値を測定する第１の電流測定手段と、
前記単相３線の他方側の電流値を測定する第２の電流測定手段と、
前記単相３線の分岐ブレーカ接続用の第１端子と接続可能な第１接続端子と、
前記単相３線の分岐ブレーカ接続用の第２端子と接続可能な第２接続端子と、
前記単相３線の第３端子と接続可能なコネクタと、
前記第１接続端子と前記第２接続端子との間の前記単相３線の一方側の電圧値を測定する第１電圧測定手段と、
前記第２接続端子と前記コネクタとの間の前記単相３線の他方側の電圧値を測定する第２電圧測定手段と、
前記一方側の電流値と前記一方側の電圧値とに基づいて前記一方側の使用電力量を演算し、前記他方側の電流値と前記他方側の電圧値とに基づいて前記他方側の使用電力量を演算し、前記一方側の使用電力量と前記他方側の使用電力量とに基づいて前記単相３線の総使用電力量を演算する演算手段と
を具備するロードサーベイメータ。
【請求項６】
分電盤内の単相３線の一方側の電流値を測定する第１の電流測定手段と、
前記単相３線の他方側の電流値を測定する第２の電流測定手段と、
前記単相３線の分岐ブレーカ接続用の第１端子と接続可能な第１接続端子と、
前記単相３線の分岐ブレーカ接続用の第２端子と接続可能な第２接続端子と、
前記第１接続端子と前記第２接続端子との間の前記単相３線の一方側の電圧値を測定する電圧測定手段と、
前記単相３線の他方側の電圧値を入力するコネクタと、
前記一方側の電流値と前記一方側の電圧値とに基づいて前記一方側の使用電力量を演算し、前記他方側の電流値と前記他方側の電圧値とに基づいて前記他方側の使用電力量を演算し、前記一方側の使用電力量と前記他方側の使用電力量とに基づいて前記単相３線の総使用電力量を演算する演算手段と
を具備するロードサーベイメータ。
【請求項７】
分電盤内の単相３線の一方側に接続されている分岐ブレーカから測定対象の電気機器に流れる電流値を測定する電流測定手段と、
前記単相３線の一方側の分岐ブレーカ接続用端子と接続可能な接続端子と、
前記接続端子に与えられる電圧値を測定する電圧測定手段と、
前記電流値と前記電圧値とに基づいて前記一方側の使用電力量を演算する演算手段と、
前記使用電力量を示すデータを出力する出力装置が前記単相３線の一方側に接続されている場合、電灯線搬送を用いて前記出力装置に前記データを出力する手段と、
前記出力装置が前記単相３線の他方側に接続されている場合、前記他方側の電灯線搬送ユニットに対して前記データを出力するためのデータ出力コネクタと
を具備するロードサーベイメータ。
【請求項８】
請求項１乃至請求項７記載のロードサーベイメータにおいて、
前記電圧値と電源とを出力する増設コネクタをさらに具備することを特徴とするロードサーベイメータ。
【請求項９】
請求項８記載のロードサーベイメータと接続される増設ロードサーベイメータであり、
前記増設コネクタに接続される増設ケーブルと、
他の電気機器とこの他の電気機器に接続されている分岐ブレーカとの間の電流値を測定する増設電流測定手段と、
前記増設ケーブルから入力した電源に基づいて動作し、前記増設ケーブルから入力した電圧値と前記増設電流測定手段によって測定された電流値とに基づいて前記他の電気機器の使用電力量を演算する増設演算手段と
を具備するロードサーベイメータ。
【発明の詳細な説明】
【技術分野】
【０００１】
本発明は、電力使用状況を調査するロードサーベイメータに関する。
【背景技術】
【０００２】
一般家庭の電力使用状況は、各種の調査機器を一般家庭に設置して行われる。電力使用状況を調査する調査機器としては、例えば電力量計、ロードサーベイメータなどがある。
【０００３】
電力量計は、使用電力量の総量が測定される。ロードサーベイメータは、使用電力量の総量のみではなく例えば３０分ごとの使用電力量などを測定することができる。ロードサーベイメータを用いることによって３０分ごとの使用電力量に基づく日負荷曲線を描くことができる。一般的に、ロードサーベイメータは、一般家庭の電力量計の近傍に設置される。
【０００４】
ロードサーベイメータは、一般家庭の使用電力量の他、エアーコンディショナーなど個別の電気機器の使用電力量を測定する場合もある。
【０００５】
この個別の電気機器の使用電力量を測定するロードサーベイメータは、測定対象の電気機器の近傍、具体的には家庭内のコンセントと測定対象の電気機器との間に設置される。電力は、ロードサーベイメータ経由で測定対象の電気機器に供給される。ロードサーベイメータは、個別機器への電力供給状態に基づいて電気機器の使用電力量を測定する。
【特許文献１】特開平７−１３４１４４号公報
【発明の開示】
【発明が解決しようとする課題】
【０００６】
一般家庭全体の使用電力量を測定する従来のロードサーベイメータは、電力量計の近傍に設置される。この場合、家の壁に穴をあけることがある。また、家屋を外から眺めた場合、ロードサーベイメータと電力量計とが目に付く場合がある。したがって、ロードサーベイメータの設置について抵抗感を持つ人がいる。
【０００７】
また、個別の電気機器測定用の従来のロードサーベイメータは、一般家庭の屋内に設置されるため、部屋の中が煩雑になるなどの理由により設置に対して抵抗感を持つ人がいる。
【０００８】
また、個別の電気機器測定用の従来のロードサーベイメータは、コンセントと測定対象機器との間に設置されるため、例えば床暖房などのように、コンセントに接続されるのではなく一般家庭の分電盤から電力供給を受ける機器の測定は困難であった。
【０００９】
本発明は、以上のような実情に鑑みてなされたもので、個々の電気機器の使用電力量を容易に測定可能であり、設置に対する抵抗感が低減するロードサーベイメータを提供することを目的とする。
【課題を解決するための手段】
【００１０】
本発明を実現するにあたって講じた具体的手段について以下に説明する。
【００１１】
本発明の第１実施例において、ロードサーベイメータは、分電盤内の分岐ブレーカから測定対象の電気機器に流れる電流値を測定する電流測定手段と、分電盤内の分岐ブレーカ接続用端子と接続可能な接続端子と、接続端子に与えられる電圧値を測定する電圧測定手段と、電流値と電圧値とに基づいて使用電力量を演算する演算手段とを具備する。
【００１２】
第２実施例において、ロードサーベイメータは、分電盤内の単相３線の一方側の電流値を測定する第１の電流測定手段と、単相３線の他方側の電流値を測定する第２の電流測定手段と、単相３線の分岐ブレーカ接続用の第１端子と接続可能な第１接続端子と、単相３線の分岐ブレーカ接続用の第２端子と接続可能な第２接続端子と、単相３線の第３端子と接続可能なコネクタと、第１接続端子と第２接続端子との間の単相３線の一方側の電圧値を測定する第１電圧測定手段と、第２接続端子とコネクタとの間の単相３線の他方側の電圧値を測定する第２電圧測定手段と、一方側の電流値と一方側の電圧値とに基づいて一方側の使用電力量を演算し、他方側の電流値と他方側の電圧値とに基づいて他方側の使用電力量を演算し、一方側の使用電力量と他方側の使用電力量とに基づいて単相３線の総使用電力量を演算する演算手段とを具備する。
【００１３】
第３実施例において、ロードサーベイメータは、分電盤内の単相３線の一方側の電流値を測定する第１の電流測定手段と、単相３線の他方側の電流値を測定する第２の電流測定手段と、単相３線の分岐ブレーカ接続用の第１端子と接続可能な第１接続端子と、単相３線の分岐ブレーカ接続用の第２端子と接続可能な第２接続端子と、第１接続端子と第２接続端子との間の単相３線の一方側の電圧値を測定する電圧測定手段と、単相３線の他方側の電圧値を入力するコネクタと、一方側の電流値と一方側の電圧値とに基づいて一方側の使用電力量を演算し、他方側の電流値と他方側の電圧値とに基づいて他方側の使用電力量を演算し、一方側の使用電力量と他方側の使用電力量とに基づいて単相３線式の総使用電力量を演算する演算手段とを具備する。
【００１４】
第４実施例において、ロードサーベイメータは、分電盤内の単相３線の一方側に接続されている分岐ブレーカから測定対象の電気機器に流れる電流値を測定する電流測定手段と、単相３線の一方側の分岐ブレーカ接続用端子と接続可能な接続端子と、接続端子に与えられる電圧値を測定する電圧測定手段と、電流値と電圧値とに基づいて一方側の使用電力量を演算する演算手段と、使用電力量を示すデータを出力する出力装置が単相３線の一方側に接続されている場合、電灯線搬送を用いて出力装置に前記データを出力する手段と、出力装置が単相３線の他方側に接続されている場合、他方側の電灯線搬送ユニットに対してデータを出力するためのデータ出力コネクタとを具備する。
【発明の効果】
【００１５】
本発明により、ロードサーベイメータを用いて個々の電気機器の使用電力量を容易に測定でき、またロードサーベイメータの設置に対する抵抗感が低減される。
【発明を実施するための最良の形態】
【００１６】
以下、図面を参照しながら本発明の実施の形態について説明する。なお、以下の各実施の形態において、同様の部分については同様の符号を付して説明を省略する。
【００１７】
（第１の実施の形態）
本実施の形態では、分電盤の分岐ブレーカと同形状の接続端子を具備し、分電盤内に分岐ブレーカと同様の状態で設置され、分岐ブレーカ単位で使用電力量を測定するロードサーベイメータについて説明する。
【００１８】
図１は、本実施の形態に係るロードサーベイメータ１の一例を示すブロック図である。なお、この図１では、分電盤２のうちロードサーベイメータ１と漏電ブレーカ３と測定対象の電気機器４４と接続されている分岐ブレーカ５１、分岐ブレーカ接続用端子８ａ〜８ｃを図示しており、他の部分については省略している。
【００１９】
図２は、ロードサーベイメータ１の一例を示す正面図である。
【００２０】
図３は、ロードサーベイメータ１の一例を示す右側面図である。
【００２１】
図４は、ロードサーベイメータ１の一例を示す上面図である。
【００２２】
図５は、ロードサーベイメータ１の設置された分電盤２の一例を示す正面図である。
【００２３】
本実施の形態においては、例えば一般家庭などの電力供給先に対して単相３線式の配電形式により電力が供給されるとする。
【００２４】
分電盤２は、電力供給先全体に対する主幹スイッチ６、漏電ブレーカ３、ケーブル７ａ〜７ｃ、分岐ブレーカ接続用端子８ａ〜８ｃ、分岐ブレーカ５１〜５７を具備する。
【００２５】
電力は、主幹ブレーカ６からケーブル７ａ〜７ｃ経由で漏電ブレーカ３に供給される。さらに電力は、漏電ブレーカ３から分岐ブレーカ接続用端子８ａ〜８ｃのうちの２つの端子８ａ，８ｂ経由で分電盤２下側に設置されている分岐ブレーカ５５〜５７に供給され、２つの端子８ｂ，８ｃ経由で分電盤２上側に設置されている分岐ブレーカ５１〜５４に供給される。分岐ブレーカ５１〜５７は、同機種である。
【００２６】
各分岐ブレーカ５５〜５７に備えられている接続端子９ａ，９ｂは、分岐ブレーカ接続用の端子８ａ，８ｂと接続される。そして、分岐ブレーカ５５〜５７は、端子８ａ，８ｂから入力した電力を線１０ａ，１０ｂ経由で個別の電気機器に供給する。
【００２７】
各分岐ブレーカ５５〜５７、及び分岐ブレーカ５５〜５７と接続されている個別の電気機器には、分岐ブレーカ接続用端子８ａ〜８ｃのうち端子８ａ，８ｂ間の片側電圧１００Ｖが印加される。
【００２８】
一方、分岐ブレーカ５１〜５４に備えられる接続端子９ａ，９ｂは、端子８ｂ，８ｃと接続される。そして、分岐ブレーカ５１〜５４は、端子８ｂ，８ｃから入力した電力を線１０ａ，１０ｂ経由で個別の電気機器に供給する。
【００２９】
各分岐ブレーカ５１〜５４、及び分岐ブレーカ５１〜５４と接続されている個別の電気機器には、分岐ブレーカ接続用端子８ａ〜８ｃのうち端子８ｂ，８ｃ間の片側電圧１００Ｖが印加される。
【００３０】
本実施の形態では、分岐ブレーカ５１に測定対象の電気機器４４が接続されているとする。
【００３１】
ロードサーベイメータ１は、分岐ブレーカ５１〜５７の接続端子９ａ，９ｂと同形状の接続端子１１ａ，１１ｂを具備し、分電盤２内の分岐ブレーカの空スペースに分岐ブレーカと同様の状態で設置される。このため、ロードサーベイメータ１の接続方向と垂直な断面は、分岐ブレーカの接続方向と垂直な断面とほぼ同様であるとする。本実施の形態では、ロードサーベイメータ１の接続端子１１ａ，１１ｂは、分電盤２内の下側において端子８ａ，８ｂに対して接続されるとする。
【００３２】
ロードサーベイメータ１は、接続端子１１ａ，１１ｂ間の電圧を測定する電圧測定部１２を具備する。電圧測定部１２によって測定された電圧値は、電力演算部１３に出力される。
【００３３】
なお、電圧測定部１２は、接続端子１１ａ，１１ｂ間の電圧を適切に降圧し、電力演算部１３に与えるとしてもよい。
【００３４】
ロードサーベイメータ１は、ケーブル１４ａ経由で本体１ａと接続される電流測定器１４を具備する。電流測定器１４としては、例えば貫通形電流センサが用いられる。
【００３５】
電流測定器１４は、分電盤２の内部において、電気機器４４と接続されている分岐ブレーカ５１の線１０ａ，１０ｂのいずれか一方に対して設置される。電流測定器１４は、測定された電流値をケーブル１４ａ経由でロードサーベイメータ１の電力演算部１３に出力する。
【００３６】
ロードサーベイメータ１の設定部１５には、電気機器４４に１００Ｖが与えられるか又は２００Ｖが与えられるかを設定する電圧設定スイッチ１５ａが備えられている。
【００３７】
ロードサーベイメータ１の正面には、設定部１５の説明を記したラベル１６が貼られている。
【００３８】
ロードサーベイメータ１の電力演算部１３は、電圧設定スイッチ１５ａが１００Ｖに設定されている場合、入力した電圧値と入力した電流値との積に基づいて使用電力量を演算する。
【００３９】
一方、ロードサーベイメータ１の電力演算部１３は、電圧設定スイッチ１５ａが２００Ｖに設定されている場合、測定された電力量の２倍の値を使用電力量として演算する。例えば、電圧設定スイッチ１５ａが２００Ｖに設定されている場合、電力演算部１３は、入力した電圧値を２倍した値と入力した電流値との積に基づいて使用電力量を演算する。
【００４０】
なお、電力演算部１３は、所定期間毎の使用電力量を求めるとしてもよい。
【００４１】
以上説明した本実施の形態では、ロードサーベイメータ１が分電盤２の内部に設置される。このため、取り付け後の家内でロードサーベイメータ１が目に付くことがなく、部屋内における機器の整理を行うことができる。
【００４２】
また、本実施の形態では、分電盤２の分岐ブレーカとコンセントを介して接続される電気機器に限らず、分電盤２の分岐ブレーカから直接電力が供給される電気機器についても個別に使用電力量を測定できる。
【００４３】
また、本実施の形態では、測定対象の電気機器に２００Ｖが与えられる場合であっても、電圧設定スイッチ１５ａを切り換えるのみで容易にこの測定対象の電気機器の使用電力量を演算することができる。
【００４４】
２００Ｖが与えられる電気機器の使用電力量を測定する装置は、通常１００Ｖが与えられる電気機器の使用電力量を測定する装置よりも大型になる。
【００４５】
しかしながら、本実施の形態では、ロードサーベイメータ１の電圧設定スイッチ１５ａの切り替えにより演算手法を切り換えることで、ロードサーベイメータ１の大きさを変えることなく、容易に１００Ｖが与えられる電気機器と２００Ｖが与えられる電気機器の双方について使用電力量を測定できる。
【００４６】
なお、本実施の形態では、ロードサーベイメータ１が分電盤２の下側に設置された場合について説明したが、分電盤２の上側に設置された場合についても同様である。
【００４７】
（第２の実施の形態）
本実施の形態では、上記第１の実施の形態の変形例であり、電力供給先の総使用電力量を測定するロードサーベイメータについて説明する。
【００４８】
図６は、本実施の形態に係るロードサーベイメータ１７の一例を示すブロック図である。なお、この図６では、分電盤２内に設置される分岐ブレーカについては省略している。
【００４９】
ロードサーベイメータ１７は、分岐ブレーカの接続端子９ａ，９ｂと同形状の接続端子１１ａ，１１ｂを具備する。本実施の形態において、接続端子１１ａ，１１ｂは、分岐ブレーカ接続用端子のうち端子８ａ，８ｂと接続される。ロードサーベイメータ１７は、分岐ブレーカの空きスペースに、分岐ブレーカに代えて設置可能である。
【００５０】
さらに、ロードサーベイメータ１７は、他の端子８ｃと接続されるコネクタ１１ｃを具備する。
【００５１】
ロードサーベイメータ１７は、接続端子１１ａ，１１ｂ間の電圧を測定する電圧測定部１２を具備する。電圧測定部１２によって測定された単相３線の一方側の電圧値は、電力演算部１８に出力される。
【００５２】
また、ロードサーベイメータ１７は、接続端子１１ｂ、コネクタ１１ｃ間の電圧を測定する電圧測定部１９を具備する。電圧測定部１９によって測定された単相３線の他方側の電圧値は、電力演算部１８に出力される。
【００５３】
なお、電圧測定部１９は、接続端子１１ｂ、コネクタ１１ｃ間の電圧を適切に降圧し、電力演算部１８に与えるとしてもよい。
【００５４】
ロードサーベイメータ１７は、ケーブル１４ａ経由で本体１７ａと接続される電流測定器１４を具備する。
【００５５】
本実施の形態において、電流測定器１４は、分電盤２の内部において、端子８ａ，８ｂにより供給される一方側の電流値を測定する。具体的には、電流測定器１４は、主幹ブレーカ６と漏電ブレーカ３との間を接続するケーブル７ａ，７ｃのうち端子８ａ，８ｂにより供給される単相３線の片側の電流に対応する一方のケーブル７ａに対して設置される。
【００５６】
電流測定器１４は、測定された電流値をケーブル１４ａ経由でロードサーベイメータ１７の電力演算部１８に出力する。
【００５７】
ロードサーベイメータ１７の本体１７ａには、ケーブル２０ａ経由で電流測定器２０が接続される。
【００５８】
本実施の形態において、電流測定器２０は、分電盤２の内部において、端子８ｂ，８ｃにより供給される他方側の電流値を測定する。具体的には、電流測定器２０は、主幹ブレーカ６と漏電ブレーカ３との間を接続するケーブル７ａ，７ｃのうち端子８ｂ，８ｃにより供給される単相３線の片側の電流に対応する一方のケーブル７ｃに対して設置される。
【００５９】
電流測定器２０は、測定された電流値をケーブル２０ａ経由でロードサーベイメータ１７の電力演算部１８に出力する。
【００６０】
電力量演算部１８は、電圧測定部１２によって測定された電圧値と電流測定器１４によって測定された電流値の積に基づいて、端子８ａ，８ｂから供給される単相３線の一方側の使用電力量を演算する。
【００６１】
同様に、電力量演算部１８は、電圧測定部１９によって測定された電圧値と電流測定器２０によって測定された電流値の積に基づいて、端子８ｂ，８ｃから供給される単相３線の他方側の使用電力量を演算する。
【００６２】
そして、電力量演算部１８は、単相３線の一方側の使用電力量と単相３線の他方側の使用電力量の和に基づいて、単相３線の両側の総使用電力量を演算する。
【００６３】
以上説明した本実施の形態では、ロードサーベイメータ１７が分電盤２の内部に設置される。このため、電気供給先全体の総使用電力量を測定する場合に、ロードサーベイメータ１７取り付け後の家屋の外観が損なわれることはなく、家屋の外壁に穴を設けるなどの特別な取り付け工事も必要ない。
【００６４】
なお、本実施の形態では、ロードサーベイメータ１７が分電盤２の下側に設置された場合について説明したが、分電盤２の上側に設置された場合についても同様である。
【００６５】
（第３の実施の形態）
本実施の形態では、上記第２の実施の形態の変形例について説明する。
【００６６】
本実施の形態では、ロードサーベイメータの設置されている側の逆側に、電圧通知ユニットを具備する。
【００６７】
図７は、本実施の形態に係るロードサーベイメータ２１の一例を示すブロック図である。なお、この図７では、分電盤２内に設置される分岐ブレーカについては省略している。
【００６８】
電圧通知ユニット２２は、分岐ブレーカの接続端子９ａ，９ｂと同形状の接続端子１１ａ，１１ｂを具備する。電圧通知ユニット２２の接続端子１１ａ、１１ｂは、それぞれ端子８ｂ，８ｃと接続される。
【００６９】
電圧通知ユニット２２の通知部２３は、１１ａ、１１ｂ間の電圧値をケーブル２４経由でロードサーベイメータ２１に出力する。なお、通知部２３は、接続端子１１ａ、１１ｂ間の電圧を適切に降圧してロードサーベイメータ２１に出力するとしてもよい。
【００７０】
ロードサーベイメータ２１は、接続端子１１ａ，１１ｂ、電圧測定部１２、電力演算部１８を具備する。また、ロードサーベイメータ２１の本体２１ａには、ケーブル１４ａ，２０ａ経由で電流測定器１４，２０が接続される。
【００７１】
ロードサーベイメータの接続端子１１ａ，１１ｂは、それぞれ端子８ａ，８ｂと接続される。
【００７２】
さらに、ロードサーベイメータ２１のコネクタ２５は、ケーブル２４と接続され、ケーブル２４経由で電圧通知ユニット２２の通知部２３と接続される。電圧通知ユニット２２の接続端子１１ａ，１１ｂ間における単相３線の他方側の電圧値は、通知部２３、ケーブル２４、コネクタ２５経由で電力演算部１８に出力される。
【００７３】
電力演算部１８の動作は、上記第２の実施の形態の場合と同様である。これにより、上記第２の実施の形態と同様の効果を得ることができる。
【００７４】
本実施の形態において、ロードサーベイメータ２１及び電圧通知ユニット２２は、分岐ブレーカの空きスペースに、分岐ブレーカに代えて設置可能である。
【００７５】
（第４の実施の形態）
本実施の形態では、電力演算部によって測定された使用電力量を示す使用電力量データの出力について説明する。
【００７６】
図８は、本実施の形態に係るロードサーベイメータ２６の一例を示すブロック図である。なお、この図８では、分電盤２のうちロードサーベイメータ２６、漏電ブレーカ３、測定対象の電気機器に接続されている分岐ブレーカ５１，５５，５６、分岐ブレーカ接続用端子８ａ〜８ｃ、出力ユニット３４を図示しており、他の部分については省略している。
【００７７】
ロードサーベイメータ２６は、接続端子１１ａ，１１ｂ、電圧測定部１２に加えて、電力演算部２７、電灯線搬送部２８、コネクタ２９を具備する。
【００７８】
出力ユニット３４の本体３４ａには、ケーブル３３が接続される。出力ユニット３４は、接続端子１１ａ、１１ｂと電灯線搬送部２８ｂを具備する。
【００７９】
電灯線搬送部２８ａ，２８ｂは、電灯線搬送用のインタフェース装置である。電灯線搬送部２８ａは、電灯線搬送信号を端子８ａ，８ｂ、分岐ブレーカ５６経由で線１０ａ，１０ｂにのせ、電灯線搬送部２８ｂは、電灯線搬送信号を端子８ｂ，８ｃ、分岐ブレーカ５１経由で線１０ａ，１０ｂにのせる。
【００８０】
本実施の形態において、ロードサーベイメータ２６の本体２６ａとケーブル１４ａを経由して接続されている電流測定器１４は、測定対象の電気機器と分岐ブレーカ５５との間に設置される。
【００８１】
単相３線のうちロードサーベイメータ２６の接続されている一方側のコンセント３０ａには、発信装置３１ａが備えられる。
【００８２】
単相３線のうちロードサーベイメータ２６の接続されていない他方側のコンセント３０ｂには、発信装置３１ｂが備えられる。
【００８３】
発信装置３１ａ，３１ｂには、例えば電話回線などのネットワーク３２が接続される。発信装置３１ａ，３１ｂには、例えば網制御ユニットなどを用いることができる。
【００８４】
電力演算部２７は、一方側のコンセント３０ａに発信装置３１ａが備えられている場合、測定された使用電力量を示す使用電力量データを電灯線搬送部２８ａに出力する。
【００８５】
一方、電力演算部２７は、他方側のコンセント３０ｂに発信装置３１ｂが備えられている場合、使用電力量データをコネクタ２９、ケーブル３３経由で出力ユニット３４の電灯線搬送部２８ｂに出力する。
【００８６】
電灯線搬送部２８ａは、電力演算部２７から使用電力量データを入力した場合、使用電力量データを端子８ａ，８ｂ、分岐ブレーカ５６、線１０ａ，１０ｂ、コンセント３０ａコンセント３０ａ経由で発信装置３１ａに出力する。
【００８７】
出力ユニット３４の電灯線搬送部２８ｂは、ロードサーベイメータ２６からケーブル３３経由で使用電力量データを入力し、使用電力量データを端子８ｂ，８ｃ、分岐ブレーカ５１、線１０ａ，１０ｂ、コンセント３０ｂ経由で発信装置３１ｂに出力する。
【００８８】
以上説明した本実施の形態では、使用電力量データ出力用の通信線を新設することなく、容易に使用電力量データを出力できる。
【００８９】
本実施の形態において、単相３線のうちロードサーベイメータ２６の設置されている側に発信装置３１ａが設置されている場合には、電灯線搬送を用いてロードサーベイメータ２６から発信装置３１ａに使用電力量データを出力することができる。
【００９０】
さらに、本実施の形態において、単相３線のうちロードサーベイメータ２６の設置されていない側に発信装置３１ｂが設置されている場合であっても、ロードサーベイメータ２６から出力ユニット３４を経由して、電灯線搬送を用いて発信装置３１ｂに使用電力量データを出力することができる。
【００９１】
本実施の形態において、電灯線搬送部２８ａ，２８ｂは、小型化が容易であるため、分電盤２内の限られたスペースに対してロードサーベイメータ２６及び出力ユニット３４を設置できる。
【００９２】
（第５の実施の形態）
本実施の形態では、複数の測定対象の電気機器について使用電力量を測定する場合について説明する。
【００９３】
本実施の形態では、例えばエアーコンディショナーなどの測定対象の電気機器と接続されている分岐ブレーカが分電盤２内に複数存在し、この測定対象の電気機器と接続されている分岐ブレーカの数だけ、上記各実施の形態に係るロードサーベイメータを設置することが困難な状態の場合に適用される。
【００９４】
図９は、本実施の形態に係るロードサーベイメータ３６〜３８の一例を示すブロック図である。なお、この図９では、分電盤２のうちロードサーベイメータ３６〜３８、漏電ブレーカ３、測定対象の電気機器に接続されている分岐ブレーカ５５〜５７、分岐ブレーカ接続用端子８ａ〜８ｃを図示しており、他の部分については省略している。
【００９５】
ロードサーベイメータ３６の本体３６ａは、電流測定器１４とケーブル１４ａ経由で接続されている。電力演算部３９は、接続端子１１ａ，１１ｂ間の電圧値と自己の電流測定器１４から入力した電流値とに基づいて、電流測定器１４の設置された分岐ブレーカ５７に接続されている電気機器の使用電力量を演算する。
【００９６】
ロードサーベイメータ３６は、電源と電圧測定部１２からの電圧値信号とを出力するコネクタ４０を具備する。
【００９７】
ロードサーベイメータ３７の本体３７に接続されているケーブル４１は、ロードサーベイメータ３６のコネクタ４０に接続される。
【００９８】
ロードサーベイメータ３７は、ロードサーベイメータ３６から自己のケーブル４１経由で電源と電圧値信号とを入力する。ロードサーベイメータ３７は、自己のケーブル４１から入力した電源に基づいて動作する。
【００９９】
ロードサーベイメータ３７の電力演算部４２は、ロードサーベイメータ３６から入力した電圧値信号と自己の電流測定器１４から入力した電流値に基づいて、自己の測定対象の電気機器の使用電力量を演算する。
【０１００】
また、ロードサーベイメータ３７は、自己のケーブル４１から入力した電源と電圧値信号とを出力するためのコネクタ４３を具備する。
【０１０１】
ロードサーベイメータ３８は、上記ロードサーベイメータ３７と同一構成である。ロードサーベイメータ３７のコネクタ４３に、ロードサーベイメータ３８のケーブル４１を接続することにより、さらに他の電気機器の使用電力量を測定可能となる。
【０１０２】
本実施の形態に係るロードサーベイメータ３７，３８において、電流測定器１４は本体３７ａ，３８ａの外部にある。また、使用電力測定のための電圧測定部１２は、他のロードサーベイメータ３６に備えられる。また、電源も他のロードサーベイメータ３６から供給される。本実施の形態では、ロードサーベイメータ３６〜３８間で、電源と電圧測定部１２とが共用された状態である。
【０１０３】
ロードサーベイメータのサイズは、電流測定器、電圧測定部、電源回路のサイズに大きく影響を受ける。
【０１０４】
しかしながら、本実施の形態に係るロードサーベイメータ３７，３８においては、電流測定器１４は本体３７ａ，３８ａの外部に備えられ、電圧値信号と電源とは外部から供給されるため、本体３７ａ，３８ａから電流測定器、電圧測定部及び電源回路を省略できる。
【０１０５】
したがって、ロードサーベイメータ３７，３８の本体３７ａ，３８ａは、小型化できる。この結果、複数のロードサーベイメータ３７，３８を分電盤２内に配置することができる。
【０１０６】
なお、上記各実施の形態において、各構成要素は、同様の動作を実現可能であれば自由に変形可能であり、配置を変更させてもよく、自由に組み合わせることが可能であり、分割することも可能である。
【０１０７】
例えば、ロードサーベイメータ１，１７，２１，２６，３６〜３８、電圧通知ユニット２２、出力ユニット３４の構成要素を自由に組み合わせてもよい。
【図面の簡単な説明】
【０１０８】
【図１】本発明の第１の実施の形態に係るロードサーベイメータの一例を示すブロック図。
【図２】同実施の形態に係るロードサーベイメータの一例を示す正面図。
【図３】同実施の形態に係るロードサーベイメータの一例を示す右側面図。
【図４】同実施の形態に係るロードサーベイメータの一例を示す上面図。
【図５】同実施の形態に係るロードサーベイメータの設置状態の一例を示すブロック図。
【図６】本発明の第２の実施の形態に係るロードサーベイメータの一例を示すブロック図。
【図７】本発明の第３の実施の形態に係るロードサーベイメータの一例を示すブロック図。
【図８】本発明の第４の実施の形態に係るロードサーベイメータの一例を示すブロック図。
【図９】本発明の第５の実施の形態に係るロードサーベイメータの一例を示すブロック図。
【符号の説明】
【０１０９】
１，１７，２１，２６，３６〜３８…ロードサーベイメータ、１ａ，１７ａ，２１ａ、２６ａ，３６ａ〜３８ａ…本体、２…分電盤、３…ブレーカ、６…主幹ブレーカ、７ａ〜７ｃ，１４ａ，２０ａ，２４，３３，４１…ケーブル、８ａ〜８ｃ…端子、９ａ，９ｂ，１１ａ，１１ｂ…接続端子、１１ｃ，２５，２９，４０，４３…コネクタ、１０ａ，１０ｂ…線、１２，１９…電圧測定部、１３，１８，２７，３９，４２…電力演算部、１４，２０…電流測定器、１５…設定部、１５ａ…電圧設定スイッチ、２２…電圧通知ユニット、２３…通知部、２８ａ，２８ｂ…電灯線搬送部，３０ａ，３０ｂ…コンセント、３１ａ，３１ｂ…発信装置、３２…ネットワーク、３４…出力ユニット
【図１】
2005249683.tif 000003
【図２】
2005249683.tif 000004
【図３】
2005249683.tif 000005
【図４】
2005249683.tif 000006
【図５】
2005249683.tif 000007
【図６】
2005249683.tif 000008
【図７】
2005249683.tif 000009
【図８】
2005249683.tif 000010
【図９】
2005249683.tif 000011